(57)【要約】【課題】  配線基板の端子部を外枠を通して外部へ引き出す構造の電気光学装置において、端子部を引き出す位置を簡単な処理だけで自由に決めることができるようにする。【解決手段】  液晶パネル３に接続されると共に曲げられて液晶パネル３の背面に配置される配線基板９と、配線基板９の曲げられた部分に近い領域で液晶パネル３の背面及び配線基板９を覆う第１外枠４２ａと、配線基板９の曲げられた部分から遠い領域で液晶パネル３の背面を覆う第２外枠４２ｂとを有する電気光学装置である。配線基板９は、第１外枠４２ａと第２外枠４２ｂとの隙間Ｍを通って外部へ引き出され、さらに第２外枠４２ｂの外側表面に沿って延びる。配線基板９の端子部分をどの位置に置くかを、外枠４２ａ及び４２ｂの形状を変えること無く、配線基板９の形状だけによって決めることができる。【選択図】        図２
2006139020.tif 000002
【特許請求の範囲】
【請求項１】
電気光学パネルに接続されると共に曲げられて前記電気光学パネルの背面に配置される配線基板と、
前記配線基板の曲げられた部分に近い領域で前記電気光学パネルの背面及び前記配線基板を覆う第１外枠と、
前記配線基板の曲げられた部分から遠い領域で前記電気光学パネルの背面を覆う第２外枠とを有し、
前記配線基板は、前記第１外枠と前記第２外枠との間を通って前記第２外枠の外側表面に沿って延びる
ことを特徴とする電気光学装置。
【請求項２】
請求項１記載の電気光学装置において、前記配線基板は端子部を有し、該端子部は前記第２外枠の側方に突出することを特徴とする電気光学装置。
【請求項３】
請求項１又は請求項２記載の電気光学装置において、前記第１外枠の高さを前記第２外枠の高さよりも高くすることにより、両外枠の間に電気光学パネルの厚さ方向に隙間を形成し、該隙間に前記配線基板を通すことを特徴とする電気光学装置。
【請求項４】
請求項３記載の電気光学装置において、前記第１外枠の辺部と前記第２外枠の辺部は平面的に見て互いに重なることを特徴とする電気光学装置。
【請求項５】
請求項４記載の電気光学装置において、
前記電気光学パネルへ供給する光を発生する光源をさらに有し、
前記第２外枠は熱伝導性を有する材料によって形成されると共に平面的に見て前記光源に重なる部分を有する
ことを特徴とする電気光学装置。
【請求項６】
請求項４記載の電気光学装置において、
光入射面及び光出射面を備えると共に該光出射面が前記電気光学パネルに対向して配置された導光体と、
該導光体の角部に設けられた光源とを有し、
前記第２外枠は熱伝導性を有する材料によって形成されると共に平面的に見て前記光源に重なる部分を有する
ことを特徴とする電気光学装置。
【請求項７】
請求項５又は請求項６記載の電気光学装置において、前記光源は前記配線基板の曲げられた部分の内側に配置され、前記第２外枠にはその光源と重なり合う突出部が形成されることを特徴とする電気光学装置。
【請求項８】
請求項７記載の電気光学装置において、前記光源と前記第２外枠は熱伝導性を有する接着材によって互いに接着されることを特徴とする電気光学装置。
【請求項９】
請求項５から請求項８のいずれか１つに記載の電気光学装置において、前記第２外枠はステンレス、リン青銅、ベリリウム銅、アルミ合金のいずれかによって形成されることを特徴とする電気光学装置。
【請求項１０】
請求項１から請求項９のいずれか１つに記載の電気光学装置において、前記電気光学パネルを支持するフレームをさらに有し、前記配線基板は前記フレームの辺を巻き込むように曲げられることを特徴とする電気光学装置。
【請求項１１】
請求項１から請求項１０のいずれか１つに記載の電気光学装置を有することを特徴とする電子機器。
【発明の詳細な説明】
【技術分野】
【０００１】
本発明は、液晶表示装置等といった電気光学装置に関する。また、本発明は、電気光学装置を用いた電子機器に関する。
【背景技術】
【０００２】
現在、携帯電話機、携帯情報端末機等といった各種の電子機器において、電気光学装置が広く用いられている。これらの電気光学装置は、例えば、電子機器に関する各種の情報を視覚的に表示するための表示部として用いられている。この電気光学装置において、例えば、電気光学物質として液晶を用いた装置、すなわち液晶表示装置が知られている。
【０００３】
上記の液晶表示装置は電気光学パネルとしての液晶パネルを有する。この液晶パネルは、一般に、それぞれが電極を備えた一対の基板の間に液晶層を介在させた構造を有する。この液晶表示装置では、液晶層に光を供給すると共に該液晶層に印加される電圧を画素ごとに制御することにより、液晶層内の液晶分子の配向を画素ごとに制御する。液晶層へ供給された光は、液晶分子の配向状態に従って変調され、この変調された光を偏光板の液晶側表面に供給することにより、その偏光板の観察側表面に文字、数字、図形等といった像が表示される。
【０００４】
上記の電気光学パネルを電気光学装置の中の所定位置に置くために、枠が用いられることが多い。また、電気光学パネルに配線基板が接続されることも多い（例えば、特許文献１参照）。特許文献１に開示された電気光学装置では、枠の一部に切欠き、すなわち空間を設け、電気光学パネルに接続された配線基板をその空間を通して枠の裏側へ延ばしている。
【０００５】
【特許文献１】特開２００２−２６８０４０号公報（第４頁、図１）
【発明の開示】
【発明が解決しようとする課題】
【０００６】
特許文献１に開示された上記の枠は電気光学パネルを支持するための枠である。電気光学装置で用いられる枠としては、そのような電気光学パネルを支持するための枠以外に、電気光学パネルの周囲を囲んで電気光学パネルを保護するための枠、すなわち外枠もある。電気光学パネルに接続された配線基板は外部回路との間で信号の授受を行ったり、外部電源から電力の供給を受けるために、上記の外枠を通して外部へ引き出す必要がある。
【０００７】
このように配線基板を外枠を通して外部へ引き出す場合、特許文献１に開示された技術を用いることにすれば、図１３（ａ）や図１３（ｂ）に示す構造になることが考えられる。図１３（ａ）では、外枠１０２の長手方向の側面に切欠き、すなわち空間１０３を設け、この切欠き１０３を通して配線基板１０９の端子部１０９ａを外枠１０２の外部へ引き出している。また、図１３（ｂ）では、外枠１０２の長手方向の端面に切欠き、すなわち空間１０３を設け、この切欠き１０３を通して配線基板１０９の端子部１０９ａを外枠１０２の外部へ引き出している。
【０００８】
しかしながら、このように外枠の一部に切欠きを形成し、その切欠きを通して配線基板の端子部だけを外部へ引き出す構造では、端子部を引き出す位置が電気光学装置の特定の位置に限定されてしまい、多くの種類の電子機器に対応できるだけの汎用性が無いという問題があった。
【０００９】
本発明は、上記の問題点に鑑みて成されたものであって、配線基板の端子部を電気光学装置の任意の場所から引き出せることができる、すなわち汎用性の高い電気光学装置を提供することを目的とする。また、内蔵する電気光学装置の電気的な接続に関する汎用性を高めることにより、電気光学装置に関する組付けが容易である電子機器を提供することを目的とする。
【課題を解決するための手段】
【００１０】
本発明に係る電気光学装置は、電気光学パネルに接続されると共に曲げられて前記電気光学パネルの背面に配置される配線基板と、前記配線基板の曲げられた部分に近い領域で前記電気光学パネルの背面及び前記配線基板を覆う第１外枠と、前記配線基板の曲げられた部分から遠い領域で前記電気光学パネルの背面を覆う第２外枠とを有し、前記配線基板は前記第１外枠と前記第２外枠との間を通って前記第２外枠の外側表面に沿って延びることを特徴とする。
【００１１】
この電気光学装置では、配線基板の端子部分だけが外枠を貫通して外部へ引き出されるのではなく、配線基板の広い部分が第１外枠と第２外枠との間を通って外部へ引き出される。このため、配線基板の端子部の近傍の形状を適宜に設定することにより、その端子部を第２外枠の任意の位置、すなわち電気光学装置の任意の位置から外部へ引き出すことができ、汎用性が非常に高くなる。つまり、外枠の形状を変えること無く、配線基板の形状を変えるだけで、配線基板の端子を希望する任意の場所で外部へ突出させることができる。また、折り曲げられた配線基板を第１外枠により押さえることとなり、電気光学装置の厚さを薄くすることができる。
【００１２】
次に、本発明に係る電気光学装置において、前記配線基板は端子部を有し、該端子部は前記第２外枠の側方に突出することが望ましい。こうすれば、電気光学装置の側方で電気光学装置と電子機器とを電気的に接続できる。
【００１３】
次に、本発明に係る電気光学装置においては、前記第１外枠の高さを前記第２外枠の高さよりも高くすることにより、両外枠の間に電気光学パネルの厚さ方向に隙間を形成し、該隙間に前記配線基板を通すことが望ましい。こうすれば、配線基板の広い部分を外枠の外部へ容易に且つ安全に引き出すことができる。
【００１４】
次に、本発明に係る電気光学装置において、前記第１外枠の辺端部近傍と前記第２外枠の辺端部近傍は平面的に見て互いに重なることが望ましい。仮に、第１外枠と第２外枠とが重なり合わない場合には、平面的に見てそれらの外枠の間に開口が開くことになる。この開口を通して配線基板を外部へ引き出すことにすれば、本発明の主たる課題、すなわち、外枠の形状を変えること無く、配線基板の形状を変えるだけで、配線基板の端子部を希望する任意の場所で電気光学装置の外部へ突出させることを可能にするという課題、を達成することはできる。
【００１５】
しかしながらこの状態では、外部へ引き出された配線基板が位置的に不安定であったり、開口を通して塵、埃等が電気光学装置の内部へ容易に進入するおそれがある。これに対し、第１外枠の辺端部近傍と前記第２外枠の辺端部近傍とを平面的に見て互いに重なるようにしておけば、配線基板が外部へ出る場所においてその配線基板は第１外枠と第２外枠とによってガイドされながら外部へ出ることになり、それ故、配線基板を安定して保持でき、しかも埃等の進入を防止できる。
【００１６】
次に、本発明に係る電気光学装置は、前記電気光学パネルへ供給する光を発生する光源をさらに有することができる。そしてこの場合、前記第２外枠は熱伝導性を有する材料によって形成されると共に平面的に見て前記光源に重なる部分を有することが望ましい。こうすれば、電気光学パネルの表示領域のうち光源に近い一部分だけが高温になることを防止できる。
【００１７】
一般に、電気光学パネルの表示品質は周囲温度に大きく依存する。例えば、表示領域内の一部の温度が高い場合には、その部分の表示が暗くなってしまい全体的な表示品質が低下することが知られている。上記のように電気光学パネルの近傍に光源を設ける場合、その光源の周囲は高温になるので、表示領域の温度分布が不均一になって、電気光学パネルの表示品質が低下するおそれがある。これに対し、平面的に見て第２外枠を光源に重ねるようにした上記構成の電気光学装置によれば、光源の熱を第２外枠によって放熱することができ、電気光学パネルの表示領域のうち光源に近い一部分だけが昇温することを防止でき、これにより、電気光学パネルの表示品質を高く維持することができる。
【００１８】
最近、導光体と光源とを有する照明装置の分野において、複数の発光素子によって１つの光源を構成するという技術が提供されている。例えば、赤色(Ｒ)、緑色(Ｇ)、青色(Ｂ)の３色の発光素子によって１つの光源を構成するという技術が提供されている。このような光源は発光の輝度が高いので、発熱量も大きくなっている。このような発熱量の大きい光源が電気光学パネルの表示領域の近くに設けられていると、表示領域内の温度分布に大きな差が発生して表示品質の低下が著しくなることが考えられる。このような照明装置に関して、第２外枠の一部分を光源に重なるように配置すれば、光源の発熱量が大きい場合であっても、電気光学パネルの表示領域の温度分布が不均一になることを防止でき、高い表示品質を維持できる。
【００１９】
次に、本発明に係る電気光学装置は、光入射面及び光出射面を備えると共に該光出射面が前記電気光学パネルに対向して配置された導光体と、該導光体の角部に設けられた光源とを有することができる。そしてこの場合、前記第２外枠は熱伝導性を有する材料によって形成されると共に平面的に見て前記光源に重なる部分を有することが望ましい。
【００２０】
光源、特に点状光源から出た光は、通常、扇状すなわち放射状に広がりながら進行する。このため、仮に光源を導光体の１辺の一部分に対向して設けることにすると、光源に近い領域であってその扇状の領域から外れる領域では、導光体へ十分な光を供給できず、従って、導光体のその部分からは電気光学パネルへ十分な光量の光を供給できないことになる。そして、十分な光量の光が得られない電気光学パネルのその部分では、明るくて鮮明な表示を行うことができない。
【００２１】
これに対し、上記のように導光体の角部に光源を設けると、光源から見て導光体は扇状に広がる形状を有することになり、それ故、光源から扇状に広がって進行する光は導光体の内部の全域に均一に広がることになる。このため、導光体の角部に光源を設ける構造は、電気光学パネルの表示品質を高く維持することに関して有効であると考えられる。しかしながら、この構造を採用する場合は、導光体の１辺に対向して複数の光源を設ける場合に比べて、導光体の角部に設ける光源の輝度を高くしなければならない。このため、導光体の角部に設けられる光源は、例えば、複数の発光素子をまとめて１つのチップとする等といった手段を採ることにより、輝度を大きくしている。
【００２２】
このように発光の輝度が高い光源は発熱量も大きくなっており、そのように発熱量の大きい光源が電気光学パネルの表示領域の近くに設けられていると、表示領域内の温度分布に大きな差が発生して表示品質の低下が著しくなることが考えられる。このような照明装置に関して、第２外枠の一部分を光源に重なるように配置すれば、光源の発熱量が大きい場合であっても、その第２外枠の伝熱作用によって光源の熱を放熱することにより、電気光学パネルの表示領域の温度分布が不均一になることを防止でき、高い表示品質を維持できる。
【００２３】
次に、本発明に係る電気光学装置において、前記光源は前記配線基板の曲げられた部分の内側に配置され、前記第２外枠にはその光源と重なり合う突出部が形成されることが望ましい。配線基板の曲げられた部分に光源を設けるようにすれば、光源をそれ以外の領域に設ける場合に比べて電気光学装置の厚さを薄くすることができる。
【００２４】
次に、本発明に係る電気光学装置において、前記光源と前記第２外枠は熱伝導性を有する接着材によって互いに接着されることが望ましい。ここで、「接着」とは、分離不可能に強固に接合すること及び分離可能に比較的軽く接合することの両方を含む意味である。分離可能に比較的軽く接合することは、粘着と言われることもある。この発明の態様のように、光源と前記第２外枠とを熱伝導性を有する接着材によって互いに接着すれば、光源の熱をより一層効率良く放熱でき、それ故、電気光学パネルの表示品質を高く維持できる。なお、第２外枠は、ステンレス、リン青銅、ベリリウム銅、アルミ合金のいずれかによって形成されることが望ましい。これらの材料を用いれば、効果的な伝熱作用を得ることができる。
【００２５】
次に、本発明に係る電気光学装置は、前記電気光学パネルを支持するフレームを有することができ、この場合には、前記配線基板はそのフレームの辺を巻き込むように曲げられることが望ましい。こうすれば、配線基板をフレームによって安定した状態で支持できる。
【００２６】
次に、本発明に係る電子機器は、以上に記載した構成の電気光学装置を有することを特徴とする。このような電子機器としては、例えば、携帯電話機、携帯情報端末機、ＩＣレコーダ等が考えられる。本発明に係る電気光学装置によれば、配線基板を第１外枠と第２外枠との間を通して引き出し、さらに、第２外枠の外側表面に沿って延びるように構成したので、配線基板の形状を変えるだけでその配線基板の端子部を電気光学装置の任意の位置から外部へ引き出すことができる。このため、本発明に係る電気光学装置を用いた電子機器に関しては、その設計が非常に容易になる。
【００２７】
また、本発明に係る電気光学装置によれば、第２外枠と光源とが平面的に見て互いに重なるように設けられるので、光源の熱を第２外枠を通して放熱することにより、電気光学パネルのうちの光源に近い部分だけが高温になることを防止できる。そしてこれにより、温度分布の不均一によって生じる表示品質の低下を防止できる。従って、この電気光学装置を用いた電子機器においても、表示品質の高い表示を行うことができる。
【発明を実施するための最良の形態】
【００２８】
(電気光学装置の第１実施形態)
以下、本発明に係る電気光学装置をその一実施形態を挙げて説明する。なお、本発明がこの実施形態に限定されるものでないことは、もちろんである。また、これからの説明で用いる図面では、特徴となる部分を分かり易く示すために、実際の寸法比率と異なる寸法比率で構成要素を図示することがあることに注意を要する。
【００２９】
図１は、本発明に係る電気光学装置の一例である液晶表示装置を分解状態で示している。ここに示す液晶表示装置１は、フレーム２と、そのフレーム２によって支持される電気光学パネルとしての液晶パネル３とを有する。液晶パネル３とフレーム２との間には、照明装置４、光拡散膜６、２枚のプリズムシート７、及び枠形状の両面粘着シート８が設けられる。必要に応じてこれらの光学シート以外の必要な光学シートを用いることもできる。両面粘着シート８は遮光性であるとよい。
【００３０】
照明装置４は、導光体１１と、光源としてのＬＥＤ１２とを有する。ＬＥＤ１２は複数個、本実施形態では４個設けられている。これら４個のＬＥＤ１２は、可撓性の基板であるＬＥＤ基板１３上に実装されている。このＬＥＤ基板１３は端子１４を有し、この端子１４を通して各ＬＥＤ１２へ電力が供給される。各ＬＥＤ１２の発光面は導光体１１の１つの側面である光入射面１１ａに対向して設けられる。各ＬＥＤ１２から出た光は、光入射面１１ａから導光体１１の内部へ導入され、その導光体１１の光出射面１１ｂから面状の光として出射して、液晶パネル３へ供給される。
【００３１】
導光体１１はフレーム２によって囲まれる空間内に位置ズレしないように収納される。そして、その導光体１１の下面、すなわち光出射面１１ｂの反対側の面に接触するように光反射膜１６が設けられる。この光反射膜１６は、フレーム２の下面に接着又は粘着される。接着とは強固な接合であり、粘着とは接着ほど強固ではない軽い接合である。導光体１１の光出射面１１ｂには、光拡散膜６及びプリズムシート７，７が重ねて置かれ、さらにその上から両面粘着シート８の下面がフレーム２に粘着される。そして、その両面粘着シート８の上面に液晶パネル３が粘着される。これにより、液晶パネル３、照明装置４、及び複数の光学シート６，７，８，１６がフレーム２によって一体になったパネルユニットが形成される。
【００３２】
図２は、そのパネルユニットの断面構造の一部分を示している。図２に示すように、液晶パネル３は、第１の透光性の基板２１ａと、第２の透光性の基板２１ｂと、第１透光性基板２１ａの外側表面に貼着された偏光板２２ａと、第２透光性基板２１ｂの外側表面に貼着された偏光板２２ｂとを有する。偏光板２２ａの偏光軸と偏光板２２ｂの偏光軸は適宜にずらせた状態に設定されている。なお、偏光板２２ａ，２２ｂに加えて他の光学要素、例えば位相差板等を設けても良い。第１透光性基板２１ａは第２透光性基板２１ｂの外側へ張り出す張出し部２３を有し、この張出し部２３上に駆動用ＩＣ２４がＡＣＦ（Anisotropic Conductive Film）２６を用いてＣＯＧ（Chip On Glass）技術によって実装されている。
【００３３】
詳しい図示は省略するが、第１透光性基板２１ａ及び第２透光性基板２１ｂのそれぞれの表面には電極が設けられ、また、それらの基板間に液晶が封入される。照明装置４から液晶パネル３へ面状の光が供給されるとき、上記一対の電極に印加する電圧を画素ごとに制御することにより、液晶を通過する光を画素ごとに変調する。そして、この変調光を偏光板２２ｂに通すことにより、その偏光板２２ｂの光出射側に文字、数字、図形等といった像を表示する。矢印Ａで示す方向が表示を観察する方向である。また、図１において、偏光板２２ｂが設けられた面が表示面Ｃである。
【００３４】
液晶パネル３は、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、反射型、透過型又は半透過反射型のいずれであっても良い。
【００３５】
反射型とは、太陽光、室内光等といった外部光を液晶パネル３の内部で反射させて表示に用いる方式である。また、透過型とは、液晶パネル３を透過する光を用いて表示を行う方式である。また、半透過反射型とは、反射型表示と透過型表示の両方を選択的に行うことができる方式である。なお、本実施形態では照明装置４がバックライトとして設けられているので、採光方式としては透過型又は半透過反射型が採用されていることになる。
【００３６】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００３７】
上記のような液晶パネル３において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００３８】
液晶パネル３として、ＴＦＤ素子を用いたアクティブマトリクス方式の液晶パネルを用いるものとすれば、その電気的な等価回路は図７に示す通りである。図７において、複数本の走査線３１が行方向Ｘに延びるように形成され、さらに、複数本のデータ線３２が列方向Ｙに延びるように形成されている。走査線３１は図２の第１透光性基板２１ａ又は第２透光性基板２１ｂのうちのＴＦＤ素子が設けられない方の基板上に帯状電極として形成される。また、データ線３２は第１透光性基板２１ａ又は第２透光性基板２１ｂのうちのＴＦＤ素子が設けられる方の基板上にライン配線として形成される。表示の最小単位である表示ドットＤは走査線３１とデータ線３２との各交差部分に形成される。各表示ドットＤにおいては、液晶層３３と、ＴＦＤ素子３４とが直列に接続されている。
【００３９】
各表示ドットＤに青色（Ｂ）、緑色（Ｇ）、赤色（Ｒ）の各色フィルタのうちの１色を対応させてカラー表示を行う場合には、３色の表示ドットＤが集まって１つの画素が形成される。一方、白黒等によってモノカラー表示を行う場合には表示ドットＤの１つが１つの画素を形成する。
【００４０】
図７では、液晶層３３が走査線３１の側に接続され、ＴＦＤ素子３４がデータ線３２の側に接続されているが、接続関係をその逆にしても良い。各走査線３１は、走査線駆動回路２４ａによって駆動される。一方、各データ線３２は、データ線駆動回路２４ｂによって駆動される。走査線駆動回路２４ａ及びデータ線駆動回路２４ｂは図２の駆動用ＩＣ２４よって構成される。駆動用ＩＣ２４は、共通のＩＣによって両駆動回路２４ａ及び２４ｂを賄うものであっても良いし、あるいは、両駆動回路２４ａ及び２４ｂを個別のＩＣに割り当てても良い。
【００４１】
他方、液晶パネル３として、ＴＦＴ素子を用いたアクティブマトリクス方式の液晶パネルを用いるものとすれば、その電気的な等価回路は図８に示す通りである。図８において、複数本の走査線３１が行方向Ｘに延びるように形成されている。また、複数本のデータ線３２が列方向Ｙに延びるように形成されている。走査線３１は図２の第１透光性基板２１ａ又は第２透光性基板２１ｂの一方に形成されたＴＦＴ素子のゲート電極につながる線として形成され、データ線３２はＴＦＴ素子のソース電極につながる線として形成される。第１透光性基板２１ａ又は第２透光性基板２１ｂのうちのＴＦＴ素子が形成されない方の基板上には面状の共通電極が形成される。
【００４２】
表示ドットＤは走査線３１とデータ線３２との各交差部分に形成される。各表示ドットＤにおいては、ＴＦＴ素子３６と画素電極３７とが直列に接続されている。各走査線３１は、走査線駆動回路２４ａによって駆動される。一方、各データ線３２は、データ線駆動回路２４ｂによって駆動される。走査線駆動回路２４ａ及びデータ線駆動回路２４ｂは図２の駆動用ＩＣ２４によって構成される。
【００４３】
走査信号はＴＦＴ素子３６のゲートへ送られ、データ信号はＴＦＴ素子３６のソースへ送られる。ＴＦＴ素子３６がＯＮ状態になると、対応する画素電極３７への通電が成されて対応する表示ドットＤ内の液晶への書き込みが行われる。また、引き続いてＴＦＴ素子３６がＯＦＦ状態になると、書き込まれた状態が保持される。この一連の書き込み動作及び保持動作により、液晶分子がＴＮ構造と垂直配向との間で制御される。
【００４４】
図１に戻って、第１透光性基板２１ａの張出し部２３の辺端に配線基板９が、ＡＣＦ、ヒートシール、その他適宜の導電接続手法を用いて接続されている。この配線基板９は可撓性を有するプラスチックによって形成されており、液晶表示装置１を組み立てる際には、矢印Ｂで示すようにフレーム２の１辺を巻き込むように曲げられて液晶パネル３の表示面Ｃと反対側に配置される。この配線基板９のうち第１透光性基板２１ａへ接続される端部の近傍の背面、すなわち、配線基板９のうち曲げられて湾曲形状となって液晶パネル３を向く面には、複数の電子部品１７が第１透光性基板２１ａの辺端とほぼ平行の列状に実装されている。この電子部品１７としては、例えば、抵抗、コイル、コンデンサ、電源ＩＣ等が考えられる。電源ＩＣは他の電子部品より大きいのが普通であり、この電源ＩＣは符号１７ａで示すように配線基板９の端部分に実装されることがある。
【００４５】
図１において液晶表示装置１を組み立てる際には、まず、ＬＥＤ基板１３の端子１４を配線基板９の所定位置にハンダ付け、その他の導電接続手法によって接続する。次に、フレーム２の下面に光反射膜１６を粘着し、その光反射膜１６の上面に接触するように導光体１１をフレーム２１の中に収納する。次に、導光体１１の上に光拡散膜６及びプリズムシート７，７を載置し、さらにその上から両面粘着シート８を貼着する。次に、粘着シート８の上面に液晶パネル３を貼着すると共に、ＬＥＤ基板１３を導光体１１の光入射面１１ａに対向する位置に配置して、各ＬＥＤ１２を光入射面１１ａに対向する所定位置に配置させる。
【００４６】
フレーム２は、図４に示すように無端の枠形状、すなわち切欠き部分の無い連続した枠形状に形成されている。そして、フレーム２の枠の外周に係止片１８ａ，１８ａａ，１８ｂ，１８ｂｂが設けられている。また、配線基板９が曲げられる部分に対応するフレーム２の角部Ｋには、その角部Ｋの頂点部分に縦側係止片１８ａが設けられ、頂点から間隔Ｌだけ離れた位置に横側係止片１８ｂが設けられている。また、配線基板９が曲げられる部分の反対側のフレーム２の辺には、角部Ｋの頂点で互いに連結する縦側係止片１８ａａ及び横側係止片１８ｂｂが設けられている。縦側係止片１８ａ，１８ａａは、図１の液晶パネル３の縦方向の位置ズレ、すなわち、第１透光性基板２１ａの張出し部２３の端辺に対して直角の方向に関する液晶パネル３の位置ズレ、を規制するための係止片である。また、横側係止片１８ｂ，１８ｂｂは、液晶パネル３の横方向の位置ズレ、すなわち、張出し部２３の端辺と平行の方向に関する液晶パネル３の位置ズレ、を規制するための係止片である。
【００４７】
図１において粘着シート８の上面に液晶パネル３を粘着したとき、その液晶パネル３は、縦側係止片１８ａ及び１８ａａによって縦方向の位置を規制され、横側係止片１８ｂ及び１８ｂｂによって横方向の位置を規制され、これにより、常にフレーム２内の一定位置に位置決めされる。図２には、縦側係止片１８ａ及び横側係止片１８ｂの液晶パネル３に対する位置関係が鎖線によって示されている。図２から分かるように、横側係止片１８ｂとフレーム２の角部の頂点との間には広い間隔Ｌができるので、ＬＥＤ１２、ＬＥＤ基板１３、電子部品１７、及び電子部品１７を実装した部分の配線基板９等の周りに広い横方向の空間ができる。このため、ＬＥＤ基板１３を所定位置に配置する作業や、配線基板９を曲げて所定位置に配置する作業が容易になる。
【００４８】
また、所定位置に配置されたＬＥＤ基板１３や配線基板９が横側係止片１８ｂにぶつかることがなくなるので、それらの基板１３，９に異常な負荷が加わることが無くなり、基板不良の発生を防止できる。また、フレーム２の横方向のぎりぎりの位置までＬＥＤ１２や電子部品１７を持ってくることが可能となる。つまり、ＬＥＤ１２や電子部品１７をフレーム２に重なる位置に配置することができる。そのため、ＬＥＤ１２や電子部品１７の配置位置を広い範囲内で選択できる。
【００４９】
図１において、液晶パネル３がフレーム２に装着された後、表示側外枠４１が液晶パネル３の上方からフレーム２の側面へ嵌め込まれる。表示側外枠４１には、液晶パネル３の表示面Ｃを外部へ露出させるための開口が設けられている。この表示側外枠４１は、例えば、ステンレス等によって形成されている。次に、第２裏面側外枠４２ｂが光反射膜１６の下方から表示側外枠４１の側面の外側へ嵌め込まれる。この第２裏面側外枠４２ｂは、例えば、ステンレス（ＳＵＳ３０４）、リン青銅、ベリリウム銅、アルミ合金（Ａ５０５２）等、すなわち剛性が高く、しかも熱伝導率の高い材料によって形成されている。
【００５０】
第２裏面側外枠４２ｂは、図３に示すように、ＬＥＤ１２が配置される側の辺端に複数、本実施形態では３個の突出部４３を有している。上記のように第２裏面側外枠４２ｂを表示側外枠４１の側面の外側へ嵌め込んだとき、それらの突出部４３はＬＥＤ１２に接触又は近接するようになっている。なお、そのように接触又は近接する外枠突出部４３とＬＥＤ１２とは、図２に示すように、シリコングリス４４等といった熱伝導率の高い粘着材によって互いに粘着されることが望ましい。
【００５１】
次に、図１において、配線基板９が矢印Ｂのように曲げられてその配線部分９ｂが第２裏面側外枠４２ｂの外側表面の上に持ち運ばれる。このとき、配線基板９に実装した電子部品１７は、図２に示すように、配線基板９の湾曲形状部分又はその近傍に配置される。電子部品１７を配線基板９の湾曲形状部分以外の所に配置すると、液晶表示装置１の厚さが電子部品１７の厚さ分だけ厚くなるが、本実施形態のように電子部品１７を配線基板９の湾曲形状部分に収納してしまえば、液晶表示装置１の厚さを薄くすることができる。
【００５２】
次に、図１において、第１裏面側外枠４２ａが、図６に示すように、横側係止片１８ｂ，１８ｂから角部Ｋの頂点に至る間隔Ｌ内に装着される。これにより、液晶表示装置１が完成する。第１裏面側外枠４２ａは、第２裏面側外枠４２ｂと同様に、例えばステンレス（ＳＵＳ３０４）、リン青銅、ベリリウム銅、アルミ合金（Ａ５０５２）等、すなわち剛性が高く、しかも熱伝導率の高い材料によって形成されている。第１裏面側外枠４２ａは、第２裏面側外枠４２ｂに比べて小さく形成されており、配線基板９の湾曲形状部分を覆うと共に、第２裏面側外枠４２ｂの先端部分、すなわち突出部４３が設けられている部分を覆う。つまり、第１裏面側外枠４２ａと第２裏面側外枠４２ｂはそれらの先端部分が矢印Ｅ方向から見て互いに重なっている。
【００５３】
また、第１裏面側外枠４２ａの側面の高さＨ１は、第２裏面側外枠４２ｂの高さＨ２よりも高くなっている。従って、図６に示すように、第１裏面側外枠４２ａ及び第２裏面側外枠４２ｂのそれぞれをフレーム２（図１参照）の所定位置に装着すると、図２に示すように、第１裏面側外枠４２ａと第２裏面側外枠４２ｂとの間に隙間Ｍが形成される。配線基板９はこの隙間Ｍを通って第２裏面側外枠４２ｂの外側表面に張り出している。そして配線基板９は、図６に示すように、第２裏面側外枠４２ｂの表面に沿って延びた後、その端子部９ａが第２裏面側外枠４２ｂの側方へ張り出している。
【００５４】
以上のようにして完成した液晶表示装置１を表示面側から見ると図５に示すと通りである。図５において、配線基板９の端子部９ａは表示側外枠４１の側方へ突出している。この配線基板９の端子部９ａの突出位置は、液晶表示装置１が取り付けられる電子機器からの要求に応じて自由に決めることができる。
【００５５】
以上に説明したように、本実施形態では図６に示したように配線基板９が第１裏面側外枠４２ａと第２裏面側外枠４２ｂとの間を通って外部へ引き出され、さらに第２裏面側外枠４２ｂの外側表面に沿って延びた後にその端子部９ａが第２裏面側外枠４２ｂの外側へ引き出されている。このため、第１裏面側外枠４２ａ及び第２裏面側外枠４２ｂの形状を変えること無く、配線基板９の形状を変えるだけで、配線基板９の端子部９ａを希望する任意の場所で外部へ突出させることができる。こうして、液晶表示装置１の配線基板９と、液晶表示装置１が組みつけられる電子機器の配線基板との間で配線基板同士を接続することに関して、汎用性の高い液晶表示装置を提供できる。
【００５６】
また、本実施形態では、図２において、配線基板９が曲げられる部分の厚さＴ０は、その他の部分の液晶パネル３の厚さＴ１に比べて厚くなる傾向にある。特に本実施形態では、この部分にＬＥＤ１２や電子部品１７が配置されるので、特にその傾向が顕著である。このことに関し、本実施形態では、液晶パネル３の裏側の面を覆う外枠を第１裏面側外枠４２ａと第２裏面側外枠４２ｂとに分割し、さらに、配線基板９が曲げられる部分を第１裏面側外枠４２ａによって覆うことにした。このため、寸法が厚くなるのはその第１裏面側外枠４２ａの部分だけであり、第２裏面側外枠４２ｂによって覆う部分の厚み寸法は薄くすることができる。第２裏面側外枠４２ｂは第１裏面側外枠４２ａに比べて面積が十分に広いので、液晶表示装置１のほとんどの部分を薄くすることができる。これにより、液晶表示装置１が取り付けられる電子機器の薄型化または小型化に寄与できる。
【００５７】
また、本実施形態では、図２及び図３に示すように、ＬＥＤ１２に第２裏面側外枠４２ｂの突出部４３を接触又は近接させて平面的に重ね合わせ、必要に応じてシリコングリス等といった伝熱部材を介して両者を接触させ、さらに第２裏面側外枠４２ｂを熱伝導性の高い材料によって形成した。これらのため、ＬＥＤ１２で発生した熱を第２裏面側外枠４２ｂによって外部へ伝えることにより、ＬＥＤ１２の周りの温度を冷却できる。液晶を用いた表示に関しては、温度の高い部分と温度の低い部分とで表示品質に違いが出ることが知られている。例えば、温度が高い部分は表示が暗くなる傾向にある。このことに関し、本実施形態のように第２裏面側外枠４２ｂによってＬＥＤ１２の熱を逃がすようにすれば、液晶パネル３の表示面内で温度の高低差が生じることを防止でき、それ故、表示に明暗のバラツキが発生することを防止できる。
【００５８】
個々のＬＥＤ１２は１つのＬＥＤ発光素子によって形成することもできるし、あるいは、複数のＬＥＤ発光素子を１つにまとめることによって形成することもできる。複数のＬＥＤ発光素子をまとめれば、発光の輝度を高めて鮮明な表示を行うことができる。しかしながら、個々のＬＥＤ１２の発光の輝度が高くなると、それに応じてＬＥＤ１２の発熱量が大きくなることが考えられる。
【００５９】
このように個々のＬＥＤ１２の発熱量が高くなると、液晶パネル３のうちＬＥＤ１２に近い領域が局所的に高温になり、その他の領域との間で温度分布に大きな差が生じる。こうして液晶パネル３の表示領域内に大きな温度差が生じると、表示品質が大きく低下するおそれがある。しかしながら、本実施形態のようにＬＥＤ１２の熱を第２裏面側外枠４２ｂによって放熱できるようにしておけば、仮に１個のＬＥＤ１２の発熱量が大きくなっても、液晶パネル３による表示の品質を高く維持できる。
【００６０】
（電気光学装置の第２実施形態）
図９及び図１０は、本発明に係る電気光学装置の他の実施形態の主要部分を示している。この実施形態に係る液晶表示装置の全体的な構成は、図１に示した先の実施形態と同じである。液晶表示装置の外観形状も図５及び図６に示した先の実施形態の場合と同じである。
【００６１】
本実施形態が図１に示した実施形態と異なる点は、図１の照明装置４に代えて図９の照明装置５４を用い、図１の光拡散膜６及び２枚のプリズムシート７，７に代えて図９のプリズムシート５７を用い、そして図１の第２裏面側外枠４２ｂに代えて図９の第２裏面側外枠６２ｂを用いることである。これら以外の構成は図１に示した液晶表示装置１と同じである。
【００６２】
図９において、照明装置５４は導光体６１及び光源６２を有する。導光体６１は、長方形又は正方形の平板状に形成されている。導光体６１の１つの角部には直線状の面取りが施されており、この面取りに対向して光源６２が設けられている。導光体６１は、例えばアクリル樹脂等といった光透過性材料によって形成されている。光源６２は、例えば、白色光を発光する１つのＬＥＤや、白色光を発光する複数のＬＥＤや、それぞれが青色(Ｂ)、緑色(Ｇ)、赤色(Ｒ)の１色を発光する３つのＬＥＤ等によって形成される。この光源６２はそれ１つによって導光体６１に光を供給する関係上、輝度の高いＬＥＤであることが望まれる。
【００６３】
一般に、ＬＥＤは光を扇状、すなわち放射状に発光する。このため、図１に示したように導光体１１の１つの辺に対向してＬＥＤ１２を設けると、導光体１１のうち扇状であるＬＥＤの発光領域から外れる領域に在る部分では液晶パネル３へ十分な光量の光を供給できず、それ故、液晶パネル３の表示の品質が低下するおそれがある。これに対し、図９に示す照明装置５４では、ＬＥＤ６２から見て導光体６１は扇状に広がっているので、ＬＥＤ６２から出射して扇状に進行する光によって導光体６１の全領域に光を均一に行きわたらせることができる。
【００６４】
図９において矢印Ａで示す側が観察側であり、導光体６１の観察側と反対側の表面には複数の反射パターン６５が形成されている。これらの反射パターン６５は光源６２を中心として円弧状、楕円弧状、長円弧状又はその他の曲線状に形成されている。反射パターン６５は、また、直線状に形成することもできる。これらの反射パターン６５は、例えば図１０に示すように断面三角形状の溝又は突条として形成されている。この反射パターン６５は、光源６２から出て光入射面６１ａを通して導光体６１の内部へ導入された光を矢印Ｌ０で示すように反射して光出射面６１ｂから液晶パネル３（図１参照）へ向けて出射できる。図９において導光体６１に対向して配置されたプリズムシート５７は、導光体６１上の反射パターン６５に対応したパターンの複数のプリズム５８をその表面に有している。
【００６５】
第２裏面側外枠６２ｂは、図１に示した先の実施形態の場合と同様にして、液晶パネル３及び表示側外枠４１をフレーム２に装着した後、光反射膜１６の下方から表示側外枠４１の側面の外側に嵌め込まれる。こうして図９の第２裏面側外枠６２ｂがフレーム２に装着されたとき、第２裏面側外枠６２ｂの突出部６３が光源６２の底面に接触又は近接して平面的に重ね合わされる。先の実施形態では、図２に示したように、ＬＥＤ１２と外枠突出部４３とをシリコングリス等といった粘着材で粘着したが、図９に示す本実施形態でも同様にしてＬＥＤ６２と外枠突出部６３とを粘着材によって互いに粘着することが望ましい。
【００６６】
この構成により、仮にＬＥＤ６２が高温に発熱する場合でも、第２裏面側外枠６２ｂの伝熱作用によってＬＥＤ６２の熱を外部へ放熱することができ、液晶パネル３（図１参照）のうちＬＥＤ６２に近い部分のみが高温になることを防止でき、それ故、液晶パネル３による表示の品質を高く維持できる。
【００６７】
（電気光学装置のその他の実施形態）
以上、好ましい実施形態を挙げて本発明を説明したが、本発明はその実施形態に限定されるものでなく、請求の範囲に記載した発明の範囲内で種々に改変できる。
例えば、上記の実施形態では図４に示したように、フレーム２の１辺の両方の角部Ｋに関して横側係止片１８ｂ，１８ｂを角部頂点から間隔Ｌだけ離して設け、対向する辺の角部Ｋに関しては縦側係止片１８ａａと横側係止片１８ｂｂとを頂点の所で連結させた。しかしながら、縦側係止片１８ａ，１８ａａ及び横側係止片１８ｂ，１８ｂｂをフレーム２上のどの位置に設けるかについては、必要に応じて自由に決めることができる。例えば、縦側係止片１８ａと横側係止片１８ｂ、あるいは、縦側係止片１８ａａと横側係止片１８ｂｂとを４つの角部Ｋの全部において頂点の所で互いに連結させても良い。
【００６８】
また、上記の実施形態では、電気光学パネルとして液晶パネルを用いたが、これに代えて、有機ＥＬ（Electro Luminescence）装置、プラズマディスプレイ装置、その他任意のフラットディスプレイ装置を用いることができる
【００６９】
（電子機器の実施形態）
次に、本発明に係る電子機器の実施形態を図面を用いて説明する。
図１１は、本発明に係る電子機器の一実施形態のブロック図を示している。ここに示す電子機器は、液晶表示装置７１と、これを制御する制御回路７０とを有する。液晶表示装置７１は、液晶パネル７３と、照明装置７４と、半導体ＩＣ等で構成される駆動回路７５とを有する。また、制御回路７０は、表示情報出力源７６と、表示情報処理回路７７と、電源回路７８と、タイミングジェネレータ７９とを有する。
【００７０】
表示情報出力源７６は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７６は、タイミングジェネレータ７９によって生成された各種のクロック信号に基づいて、所定フォーマットの画像信号等の形で表示情報を表示情報処理回路７７に供給する。
【００７１】
表示情報処理回路７７は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路７５へ供給する。駆動回路７５は、走査線駆動回路、データ線駆動回路及び検査回路を含む。また、電源回路７８は、上記の各構成要素にそれぞれ所定の電圧を供給する。
【００７２】
液晶表示装置７１は、例えば、図１に示した液晶表示装置１によって構成できる。図１に示す液晶表示装置１は、図６に関連して説明したように、配線基板９の端子部９ａを電気光学装置１のどの位置から引き出すかに関して自由度が非常に高くなっている。従って、この液晶表示装置１を用いる電子機器は液晶表示装置１をその内部に組付けることが非常に容易である。
【００７３】
次に、図１２は、電子機器の一例である携帯電話機に本発明を適用した場合の一実施形態を示している。ここに示す携帯電話機８０は、本体部８１と、これに開閉可能に設けられた表示体部８２とを有する。液晶表示装置等といった電気光学装置によって構成された表示装置８３は、表示体部８２の内部に配置され、電話通信に関する各種表示は、表示体部８２にて表示画面８４によって視認できる。本体部８１には操作ボタン８６が配列されている。
【００７４】
表示体部８２の一端部にはアンテナ８７が伸縮自在に取り付けられている。表示体部８２の上部に設けられた受話部８８の内部には、図示しないスピーカが配置される。また、本体部８１の下端部に設けられた送話部８９の内部には図示しないマイクが内蔵されている。表示装置８３の動作を制御するための制御部は、携帯電話機の全体の制御を司る制御部の一部として、又はその制御部とは別に、本体部８１又は表示体部８２の内部に格納される。
【００７５】
表示装置８３は、例えば、図１に示した液晶表示装置１によって構成できる。図１に示す液晶表示装置１は、図６に関連して説明したように、配線基板９の端子部９ａを電気光学装置１のどの位置から引き出すかに関して自由度が非常に高くなっている。従って、この液晶表示装置１を用いる電子機器は液晶表示装置１をその内部に組付けることが非常に容易である。
【００７６】
（変形例）
本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【図面の簡単な説明】
【００７７】
【図１】本発明に係る電気光学装置の一実施形態である液晶表示装置を分解状態で示す斜視図である。
【図２】図１に示す液晶表示装置の主要部の断面構造を示す断面図である。
【図３】図１の主要部を拡大して示す図である。
【図４】図３の主要部を拡大して示す図である。
【図５】図１の液晶表示装置の外観を表示面側から見た場合の斜視図である。
【図６】図１の液晶表示装置の外観を裏面側から見た場合の斜視図である。
【図７】図１の液晶表示装置の電気的な等価回路の一例を示す回路図である。
【図８】図１の液晶表示装置の電気的な等価回路の他の一例を示す回路図である。
【図９】本発明に係る電気光学装置の他の実施形態の主要部を示す分解斜視図である。
【図１０】図９のＦ−Ｆ線に従った断面図である。
【図１１】本発明に係る電子機器の一実施形態を示すブロック図である。
【図１２】本発明に係る電子機器の他の実施形態を示す斜視図である。
【図１３】従来の電気光学装置の外観形状の例を示す斜視図である。
【符号の説明】
【００７８】
１．液晶表示装置（電気光学装置）、  ２．フレーム、
３．液晶パネル（電気光学パネル）、  ４，５４．照明装置、  ６．光拡散膜、
７，５７．プリズムシート、  ８．両面粘着シート、  ９．配線基板、
１１，６１．導光体、  １２，６２．ＬＥＤ（光源）、  １３．ＬＥＤ基板、
１６．光反射膜、  １７．電子部品、  １７ａ．電源ＩＣ、
１８ａ，１８ａａ．縦側係止片、  １８ｂ，１８ｂｂ．横側係止片、
２１ａ．第１透光性基板、  ２１ｂ．第２透光性基板、  ２２ａ，２２ｂ．偏光板、
２３．張出し部、  ２４．駆動用ＩＣ、  ２６．ＡＣＦ、  ３１．走査線、
３２．データ線、  ３３．液晶層、  ３４．ＴＦＤ素子、  ３６．ＴＦＴ素子、
３７．画素電極、  ４１．表示側外枠、  ４２ａ．第１裏面側外枠、
４２ｂ，６２ｂ．第２裏面側外枠、  ４３，６３．突出部、  ４４．シリコングリス、
７０．制御回路、  ７１．液晶表示装置（電気光学装置）、
７３．液晶パネル（電気光学パネル）、  ７４．照明装置、  ７５．駆動回路、
８０．携帯電話機（電子機器）、  Ｃ．表示面、  Ｄ．表示ドット、  Ｌ．間隔、
Ｋ．角部
【図１】
2006139020.tif 000003
【図２】
2006139020.tif 000004
【図３】
2006139020.tif 000005
【図４】
2006139020.tif 000006
【図５】
2006139020.tif 000007
【図６】
2006139020.tif 000008
【図７】
2006139020.tif 000009
【図８】
2006139020.tif 000010
【図９】
2006139020.tif 000011
【図１０】
2006139020.tif 000012
【図１１】
2006139020.tif 000013
【図１２】
2006139020.tif 000014
【図１３】
2006139020.tif 000015